(57)【要約】【課題】ユーザ個別のライブラリをユーザ個別の記憶メディアに容易に構築することのできる記録システムを提供する。【解決手段】ユーザ認識情報とともに映像情報を記憶する記憶メディア１２と、記憶メディア装填部１８を有し映像情報を録画する録画装置１１とを備え、録画装置１１は、映像情報を録画する録画部１６と、映像情報を録画するユーザの認識情報とともに、映像情報を記憶する映像情報記憶部２２と、記憶メディア１２に記憶された認識情報を取得し、取得した認識情報が、映像情報を録画するユーザの認識情報に一致するか否かを判定する認識情報判定部２０と、を備え、録画部１６は、認識情報が一致すると判定されたとき、映像情報をメディア装填部１８に接続された記憶メディア１２に記憶させ、前記認識情報が一致しないと判定されたとき、映像情報を映像情報記憶部２２に記憶させる。【選択図】図１
2011216991.tif 000002
【特許請求の範囲】
【請求項１】
ユーザを認識する認識情報を記憶する記憶メディアと、前記記憶メディアが着脱自在に接続されるメディア接続部を有した録画装置と、を備え、
前記録画装置は、コンテンツを録画する録画部と、前記コンテンツを予約したユーザの認識情報を記憶する記憶部と、前記メディア接続部に接続された前記記憶メディアに記憶された前記認識情報が、前記記憶部に記憶された前記コンテンツを予約したユーザの認識情報に一致するか否かを判定する認識情報判定部と、を備え、
前記録画部は、前記認識情報が一致すると判定されたとき、前記コンテンツを前記メディア接続部に接続された前記記憶メディアに記憶させることを特徴とする記録システム。
【請求項２】
前記録画装置は、前記録画部により録画されたコンテンツを記憶する第２の記憶部を備えており、
前記録画部は、前記認識情報判定部により、前記メディア接続部に接続された前記記憶メディアに記憶された前記認識情報と、前記記憶部に記憶された前記コンテンツを予約したユーザの認識情報とが一致しないと判定されたとき、前記コンテンツを前記第２の記憶部に記憶させることを特徴とする請求項１記載の記録システム。
【請求項３】
前記メディア接続部に接続された前記記憶メディアに前記認識情報を設定し、又は、前記記憶メディアに設定された前記認識情報に基づいて、前記記憶部に認識情報を設定する認識情報設定部を備えることを特徴とする請求項１記載の記録システム。
【請求項４】
前記録画装置は、前記コンテンツを受信する受信部を備えることを特徴とする請求項１〜３のいずれか１項に記載の記録システム。
【発明の詳細な説明】
【技術分野】
【０００１】
本発明は、記録システムに関し、特に、記憶メディアにユーザ個別のコンテンツを記録する記録システムに関する。
【背景技術】
【０００２】
ビデオレコーダ等の録画装置では、従来から、装置に内蔵されたハードディスク等の内部記憶メディアに画像や音楽等のコンテンツを記録する一方、これらのコンテンツを携帯型の外部記憶メディアにコピーし、屋外や他の場所で視聴することが頻繁に行われている。なお、携帯型の外部記憶メディアとしては、ＳＤメモリカード、ｉＶＤＲ（Information Versatile Disk for Removable usage）、ＤＶＤ−Ｒ等を利用することができる。
【０００３】
ところで、これらの記憶メディアにおいては、大容量化が進行する一方、記録されたコンテンツの管理が問題になっている。例えば、家庭用のビデオレコーダの場合、通常、１台のビデオレコーダを家族で共用するため、ビデオレコーダに内蔵されているハードディスクには、複数のユーザが予約したコンテンツが多数保存されることになる。この場合、ユーザは、各コンテンツに自分の固有のラベルを付けて管理し、あるいは、ＤＶＤ−Ｒ等の外部記憶メディアをビデオレコーダに接続し、自分が予約したコンテンツを選択して外部記憶メディアにコピーすることで個別のライブラリを作成している。この場合、コンテンツの選択作業が煩雑なだけでなく、他のユーザのコンテンツを間違えて外部記憶メディアにコピーしてしまうおそれがある。
【０００４】
このような問題を解決可能な先行技術として、特許文献１（特開２００３−３０４４８０号公報）に開示されたカメラがある。この特許文献１では、外部メモリを接続可能なデジタルカメラにおいて、外部メモリにユーザ認証情報を設定する一方、撮影した画像データを記憶するカメラの内部メモリに画像付加用ユーザ認証情報を記録している。そして、カメラを転送モードに設定した場合、外部メモリのユーザ認証情報と、内部メモリの画像付加用ユーザ認証情報とが一致したとき、その画像データを内部メモリから外部メモリに転送して記録する。一方、カメラを撮影モードに設定した場合には、外部メモリを活用することを優先して、ユーザ認証情報の一致を判定することなく、撮影した画像情報を外部メモリに記録させるようにしている。
【先行技術文献】
【特許文献】
【０００５】
【特許文献１】特開２００３−３０４４８０号公報（段落［００６３］、［００６５］、［００６６］および段落［００４０］、［００４９］、［００５５］、［００６１］）
【発明の概要】
【発明が解決しようとする課題】
【０００６】
上記特許文献１に開示されたカメラにおいては、カメラを転送モードに設定することにより、外部メモリにユーザ個別のライブラリを容易に構築することができる。しかしながら、カメラを撮影モードに設定した場合には、ユーザ認証を行わないため、外部メモリに異なるユーザの画像データが混在して記録されてしまう問題がある。
【０００７】
本発明は、上記の問題点を解消することを課題とするものであり、ユーザ個別のライブラリをユーザ個別の記憶メディアに容易に構築することのできる記録システムを提供することを目的とする。
【課題を解決するための手段】
【０００８】
前記課題を解決するために、本願の請求項１にかかる記録システムの発明は、
ユーザを認識する認識情報を記憶する記憶メディアと、前記記憶メディアが着脱自在に接続されるメディア接続部を有した録画装置と、を備え、
前記録画装置は、コンテンツを録画する録画部と、前記コンテンツを予約したユーザの認識情報を記憶する記憶部と、前記メディア接続部に接続された前記記憶メディアに記憶された前記認識情報が、前記記憶部に記憶された前記コンテンツを予約したユーザの認識情報に一致するか否かを判定する認識情報判定部と、を備え、前記録画部は、前記認識情報が一致すると判定されたとき、前記コンテンツを前記メディア接続部に接続された前記記憶メディアに記憶させることを特徴とする。
【０００９】
また、本願の請求項２にかかる記録システムの発明は、請求項１にかかる発明において、
前記録画装置は、前記録画部により録画されたコンテンツを記憶する第２の記憶部を備えており、前記録画部は、前記認識情報判定部により、前記メディア接続部に接続された前記記憶メディアに記憶された前記認識情報と、前記記憶部に記憶された前記コンテンツを予約したユーザの認識情報とが一致しないと判定されたとき、前記コンテンツを前記第２の記憶部に記憶させることを特徴とする。
【００１０】
また、本願の請求項３にかかる発明は、請求項１にかかる発明において、前記メディア接続部に接続された前記記憶メディアに前記認識情報を設定し、又は、前記記憶メディアに設定された前記認識情報に基づいて、前記記憶部に認識情報を設定する認識情報設定部を備えることを特徴とする。
【００１１】
また、本願の請求項４にかかる発明は、請求項１〜３のいずれかにかかる発明において、前記録画装置は、前記コンテンツを受信する受信部を備えることを特徴とする。
【発明の効果】
【００１２】
請求項１にかかる発明においては、
ユーザを認識する認識情報を記憶する記憶メディアと、前記記憶メディアが着脱自在に接続されるメディア接続部を有した録画装置と、を備え、
前記録画装置は、コンテンツを録画する録画部と、前記コンテンツを予約したユーザの認識情報を記憶する記憶部と、前記メディア接続部に接続された前記記憶メディアに記憶された前記認識情報が、前記記憶部に記憶された前記コンテンツを予約したユーザの認識情報に一致するか否かを判定する認識情報判定部と、を備え、前記録画部は、前記認識情報が一致すると判定されたとき、前記コンテンツを前記メディア接続部に接続された前記記憶メディアに記憶させることを特徴とする。
【００１３】
かかる構成によれば、録画装置は、接続された記憶メディアの認識情報に一致するコンテンツのみをユーザ個別の記憶メディアに録画することができる。従って、ユーザ個別のライブラリをユーザ個別の記憶メディアに容易に構築することができる。
【００１４】
また、請求項２にかかる発明においては、請求項１にかかる発明において、前記録画装置は、前記録画部により録画されたコンテンツを記憶する第２の記憶部を備えており、前記録画部は、前記認識情報判定部により、前記メディア接続部に接続された前記記憶メディアに記憶された前記認識情報と、前記記憶部に記憶された前記コンテンツを予約したユーザの認識情報とが一致しないと判定されたとき、前記コンテンツを前記第２の記憶部に記憶させる。
【００１５】
かかる構成によれば、接続された記憶メディアの認識情報に一致しない場合でも、録画部がコンテンツを第２の記憶部に録画することができる。
【００１６】
また、請求項３にかかる発明においては、請求項１にかかる発明において、前記メディア接続部に接続された前記記憶メディアに前記認識情報を設定し、又は、前記記憶メディアに設定された前記認識情報に基づいて、前記記憶部に認識情報を設定する認識情報設定部を備える。
【００１７】
かかる構成によれば、録画装置は、ユーザ個別の記憶メディアを設定することができ、録画予約したユーザとの関連付けをすることができるようになる。
【００１８】
また、請求項４にかかる発明においては、請求項１〜３のいずれかにかかる発明において、前記録画装置は、前記コンテンツを受信する受信部を備える。
【００１９】
かかる構成によれば、録画装置は、受信したコンテンツをユーザ個別の記憶メディア、又は、第２の記憶部に記憶させることができる。
【図面の簡単な説明】
【００２０】
【図１】本発明にかかる記録システムの要部構成を示すブロック図である。
【図２】本発明にかかる記録システムにおいて、記憶メディアに認識情報を設定する処理フローチャートである。
【図３】本発明にかかる記録システムにおいて、録画装置の認識情報記憶部に記憶される認識情報の説明図である。
【図４】本発明にかかる記録システムにおいて、記憶メディアに映像情報を録画する処理フローチャートである。
【発明を実施するための形態】
【００２１】
以下、本発明の具体例を実施例及び図面を用いて詳細に説明する。但し、以下に示す実施形態は、本発明の技術的思想を具体化するための記録システムを例示するものであって、本発明をこの記録システムに特定することを意図するものではなく、特許請求の範囲に含まれるその他の実施形態の記録システムにも等しく適応し得るものである。
【実施例１】
【００２２】
図１は、本発明にかかる記録システム１０の要部構成を示すブロック図である。記録システム１０は、テレビ番組等の映像情報（コンテンツ）を受信可能な録画装置１１（録画装置）と、録画装置１１に着脱自在に装填され、録画装置１１で録画される映像情報を記憶する外部の記憶メディア１２とから構成される。
【００２３】
録画装置１１は、制御部１３により全体の制御が行われる。制御部１３は、図示しないＣＰＵ、ＲＯＭ、ＲＡＭを有しており、ＲＯＭ、ＲＡＭに記憶された制御プログラムをＣＰＵが実行することにより全体の制御を行う。
【００２４】
制御部１３は、無線又は有線で放送される映像情報を受信する受信部１４と、録画予約の指示や、後述する録画装置１１の映像情報記憶部２２にユーザ個別のフォルダを作成する指示等をユーザが録画装置１１に与えるための操作部１５と、録画予約された映像情報を録画する録画部１６と、録画された映像情報等を表示する表示部１７を制御する。
【００２５】
なお、操作部１５は、録画装置１１本体に設けられた操作キー（ボタン）や、表示部１７の前面に設けられたタッチパネル等から構成される。
【００２６】
また、制御部１３は、記憶メディア１２が装填される記憶メディア装填部１８（メディア接続部）と、操作部１５を介したユーザ入力に基づき録画予約したユーザの認識情報を作成する認識情報設定部１９と、後述する記憶メディア１２の認識情報記憶部２３に記憶された記憶メディア１２を使用するユーザを特定する認識情報と後述する認識情報記憶部２１に記憶された録画予約したユーザの認識情報との一致、不一致を判定する認識情報判定部２０と、録画予約したユーザの認識情報が記憶された認識情報記憶部２１（記憶部）と、録画部１６により録画された映像情報を記憶する映像情報記憶部２２（第２の記憶部）と、を制御する。
【００２７】
記憶メディア１２は、当該記憶メディア１２を使用するユーザを特定する認識情報を記憶する認識情報記憶部２３と、映像情報を記憶する映像情報記憶部２４とを備える。記憶メディア１２としては、ＳＤメモリカード、ｉＶＤＲ、ＤＶＤ−Ｒ等を使用することができる。
【００２８】
本発明においては、記憶メディア１２の認識情報記憶部２３に記憶メディア１２を使用するユーザを特定する認識情報が記憶されていることが前提となる。
【００２９】
そこでまず、図２に示すフローチャートに基づき、録画装置１１を用いて記憶メディア１２の認識情報記憶部２３に記憶メディア１２を使用するユーザを特定する認識情報を記憶する処理について説明を行う。
【００３０】
なお、本実施例で説明する認識情報の設定方法は、設定方法の一例を示すものであり、設定方法を以下に説明する方法に限定するものではない。
【００３１】
また、本実施例においては、記憶メディア１２の認識情報記憶部２３に認識情報を記憶する前段の処理として、録画装置１１の認識情報記憶部２１にユーザの認識情報を記憶する処理を行う。そして認識情報記憶部２１にユーザの認識情報を記憶する方法として、本実施例においては、操作部１５を介したユーザの指示に基づき映像情報記憶部２２にユーザ個別のフォルダを作成する際、作成したフォルダに対応した認識情報が認識情報設定部１９により生成され、ここで生成された認識情報とフォルダを対応させたテーブル２５を認識情報記憶部２１に記憶する形態を説明する。
【００３２】
先ず、ユーザが、操作部１５を介し録画装置１１に対してユーザ個別のフォルダを作成する指示を与えると、この指示を受けた制御部１３が映像情報記憶部２２にユーザ個別のフォルダを作成する（ステップＳ１０１）。このとき、ユーザは操作部１５を介して任意のフォルダ名を入力する。このとき入力するフォルダ名は、ユーザを自他識別できるものであれば任意であり、ユーザの名前でもよくニックネームあるいはユーザが任意に決定した数値列や文字列であってもよい。
【００３３】
制御部１３によりフォルダが作成されると、認識情報設定部１９は、入力されたフォルダ名に対応する認識情報を生成し（ステップＳ１０２）、図３に示すように、フォルダ名と生成した識別情報とを対応させたテーブル２５を認識情報記憶部２１に記憶させる（ステップＳ１０３）。なお、生成する認識情報は、ステップＳ１０１の処理でフォルダが作成される際に入力されたフォルダ名そのものであってもよい。
【００３４】
次いで、ユーザは、ユーザを特定する認識情報が未登録である記憶メディア１２を録画装置１１の記憶メディア装填部１８に装填する（ステップＳ１０４）。記憶メディア１２が装填されると、制御部１３は、ステップＳ１０３の処理で認識情報記憶部２１に記憶されたテーブル２５を認識情報記憶部２１から読み出して表示部１７に表示し、ユーザは、表示されたテーブル２５から自己のフォルダ（ステップＳ１０１で作成されたフォルダ）を選択する。認識情報設定部１９は、選択されたフォルダに対応する認識情報を記憶メディア装填部１８に装填されている記憶メディア１２の認識情報記憶部２３に記憶させる（ステップＳ１０５）。この結果、当該記憶メディア１２がユーザ固有の認識情報が設定された記憶メディア１２として作成されることになる。なお、ステップＳ１０５の処理において表示部１７に表示されたテーブル２５から自己のフォルダを選択すると説明したが、フォルダではなく認識情報自体を選択してもよい。
【００３５】
また、図２に示す手順は、映像情報記憶部２２にユーザ個別のフォルダを作成して、ユーザを識別するための認識情報を生成した後、記憶メディア１２の認識情報記憶部２３に、フォルダに対応する認識情報を記憶する例を説明したが、この手順に限られるものではなく、逆の手順、すなわち、予め、ユーザを特定する認識情報が未登録である記憶メディア１２にユーザを特定する認識情報を記憶した後（例えば、記憶メディア１２を録画装置１１の記憶メディア装填部１８に装填後、録画装置１１の操作部１５を介して記憶メディア１２の認識情報記憶部２３に認識情報を記憶）映像情報記憶部２２にユーザ個別のフォルダを作成する際に、記憶メディア装填部１８に装填された記憶メディア１２の認識情報記憶部２３に記憶された識別情報を読み取ってフォルダに対応した認識情報として認識情報記憶部２１に記憶させる手順でもよい。また、本実施例では、録画装置１１の映像情報記憶部２２にユーザ個別のフォルダを作成したのち、該フォルダに対応して生成された認識情報を記憶メディア１２の認識情報記憶部２３に記憶する例を説明したが、これに限ることはなく、映像情報記憶部２２にユーザ個別のフォルダを作成することなく、ユーザの認識情報のみを認識情報記憶部２１に記憶し、この認識情報を記憶メディア１２の認識情報記憶部２３に記憶する形態としても構わない。また、既に認識情報記憶部２１に複数のユーザの認識情報が記憶されているような場合は、これらの認識情報を表示部１７にリスト表示して、表示したリストから記憶メディア１２の認識情報記憶部２３に記憶させたい認識情報を選択することもできる。
【００３６】
次に、図４に示すフローチャートに基づき、録画装置１１により記憶メディア１２に映像情報を記録する処理について説明する。
【００３７】
先ず、ユーザは、操作部１５を介して所望の映像情報の録画予約を行う（ステップＳ２０１）。録画予約は、例えば、受信部１４によって受信した映像情報に含まれる電子番組表ＥＰＧ（Electronic Program Guide）を表示部１７に表示させ、表示部１７の前面に設けられたタッチパネル（操作部１５の一部）を操作することで表示された番組表から所望の映像情報（番組）を選択することができる。また、録画予約を行う際、ユーザは映像情報（番組）の予約とともに、録画予約した映像情報の録画先であるフォルダ（映像情報記憶部２２内のフォルダのうち録画予約したユーザのフォルダ）を選択する（ステップＳ２０２）。
【００３８】
次いで、ユーザが記憶メディア１２を記憶メディア装填部１８に装填し、制御部１３により記憶メディア装填部１８に記憶メディア１２が装填されているか否かが判別され（ステップＳ２０３）、記憶メディア１２が装填されていると判別されると（ステップＳ２０３、ＹＥＳ）、制御部１３は、記憶メディア１２の認識情報記憶部２３に記憶されている認識情報を取得する（ステップＳ２０４）。認識情報判定部２０は、制御部１３により記憶メディア１２から認識情報が取得された場合（ステップＳ２０５、ＹＥＳ）、認識情報記憶部２１に記憶されたテーブル２５を読み出して、読み出したテーブル２５と記憶メディア１２から取得された認識情報とを比較する（ステップＳ２０６）。
【００３９】
読み出したテーブル２５の中に記憶メディア１２から取得した認識情報と一致する認識情報があると判定された場合（ステップＳ２０６、ＹＥＳ）、録画部１６は、録画予約された映像情報の録画先を記憶メディア装填部１８に装填された記憶メディア１２に設定し、録画予約時刻となった時点から当該記憶メディア１２の映像情報記憶部２４に映像情報を録画する（ステップＳ２０７）。
【００４０】
また、記憶メディア１２から認識情報を取得できない場合（ステップＳ２０５、ＮＯ）、装填されている記憶メディア１２が認識情報を未登録の記憶メディア１２であるため、認識情報設定部１９は、記憶メディア１２に対して認識情報の設定処理を行う（ステップＳ２０８）。認識情報の設定処理は、上述した図２に示すフローチャートに従って行われる。認識情報が設定された後、録画部１６により当該記憶メディア１２の映像情報記憶部２４に対して映像情報が録画される（ステップＳ２０７）。
【００４１】
一方、記憶メディア装填部１８に記憶メディア１２が装填されていない場合（ステップＳ２０３、ＮＯ）、又は、記憶メディア１２が装填されているが、ステップＳ２０４で取得した記憶メディア１２の認識情報と一致する認識情報がテーブル２５にない場合（ステップＳ２０６、ＮＯ）、録画部１６は、録画予約された映像情報の録画先をステップＳ２０２の処理で選択された映像情報記憶部２２内のフォルダに設定し、録画予約時刻となった時点から選択されたフォルダに映像情報を録画する（ステップＳ２０９）。
【００４２】
なお、図４に示す手順では、記憶メディア１２が記憶メディア装填部１８に装填されている場合に、当該記憶メディア１２の認識情報と一致する認識情報が認識情報記憶部２１に記憶されたテーブル２５にある場合は、記憶メディア１２の映像情報記憶部２４に映像情報を録画し、不一致の場合には、選択されたフォルダ（映像情報記憶部２２内のフォルダ）に録画する例を示したが、本発明はこれに限られるものではなく、認識情報の一致、不一致によらず、録画予約された映像情報を録画装置１１内の映像情報記憶部２２に保存しておき、後で記憶メディア１２が記憶メディア装填部１８に装填され記憶メディア１２へのダビング指示が入力された時、記憶メディア１２の認識情報と一致する認識情報をテーブル２５から特定し、特定した認識情報に対応したフォルダに録画されている映像情報を記憶メディアにダビングする手順としてもよい。
【００４３】
以上のように、記憶メディア１２には、ユーザ個別の映像情報のみが記憶される。また、一旦、録画装置１１の映像情報記憶部２２に記憶されていた映像情報も、認識情報に従ってユーザ個別の記憶メディア１２に記憶されるため、記憶メディア１２には、ユーザ個別のライブラリが容易に構築されることになる。
【００４４】
なお、本発明は、上述した実施例に限定されるものではなく、本発明の要旨を逸脱しない範囲で変更することが可能である。
【００４５】
例えば、記憶メディア１２は、録画装置１１に予め内蔵された着脱自在なものであってもよいし、ケーブルを用いて外付けされる記憶メディアであってもよい。また、記憶メディア１２に記憶されるコンテンツは、映像情報に限られるものでなく、音楽、写真、テキスト等、あらゆる種類のコンテンツとすることができる。
【符号の説明】
【００４６】
１０・・・記録システム
１１・・・録画装置
１２・・・記憶メディア
１３・・・制御部
１４・・・受信部
１５・・・操作部
１６・・・録画部
１７・・・表示部
１８・・・記憶メディア装填部
１９・・・認識情報設定部
２０・・・認識情報判定部
２１・・・認識情報記憶部
２２・・・映像情報記憶部
２３・・・認識情報記憶部
２４・・・映像情報記憶部
【図１】
2011216991.tif 000003
【図２】
2011216991.tif 000004
【図３】
2011216991.tif 000005
【図４】
2011216991.tif 000006